(57)【要約】【課題】取付構造等の各種の構造を容易に備えることができる車載用のバッテリケースを提供する。【解決手段】バッテリが収容されると共に、車体に取り付けるための車体取付部４６を有する鋳造製の複数のケース本体３，４，５を備え、複数のケース本体３，４，５が互いに接合されており、ケース本体３，４，５は、長壁部１３，１４に、ケース本体３，４，５同士を接合するための接合部４１を有し、複数のケース本体３，４，５は、接合部４１において互いに接合されており、ケース本体３，４，５は、接合部４１に、バッテリを冷却するための冷却通路の開口部３１を有し、隣り合うケース本体３，４，５における冷却通路の開口部３１同士が対峙して、隣り合うケース本体３，４，５における冷却通路同士が連通している。【選択図】図１
2020191163.tif 000002
【特許請求の範囲】
【請求項１】
バッテリが収容されると共に、車体に取り付けるための車体取付部を有する鋳造製の複数のケース本体を備え、
複数のケース本体が互いに接合されている、車載用のバッテリケース。
【請求項２】
ケース本体は、側壁部に、ケース本体同士を接合するための接合部を有し、
複数のケース本体は、接合部において互いに接合されており、
ケース本体は、接合部に、バッテリを冷却するための冷却通路の開口部を有し、隣り合うケース本体における冷却通路の開口部同士が対峙して、隣り合うケース本体における冷却通路同士が連通している請求項１記載のバッテリケース。
【請求項３】
ケース本体は、平面視矩形状であって、ケース本体の側壁部は、互いに対向する第一壁部及び第二壁部と、第一壁部及び第二壁部と直交し、互いに対向する第三壁部及び第四壁部とを有し、第一壁部及び第二壁部のうち少なくとも一方に接合部が設けられ、第三壁部及び第四壁部に車体取付部が設けられている請求項２記載の車載用のバッテリケース。
【発明の詳細な説明】
【技術分野】
【０００１】
本発明は、車体に取り付けられる車載用のバッテリケースに関する。
【背景技術】
【０００２】
下記特許文献１には、金属板からなるバッテリケースが記載されている。板金製のバッテリケースは、製造しやすいという利点がある。しかしながら、板金製のバッテリケースは、バッテリをバッテリケースに取り付けるための取付構造や、バッテリケースを車体に取り付けるための取付構造等、各種の構造を設ける場合に制約が生じやすい。
【先行技術文献】
【特許文献】
【０００３】
【特許文献１】特開２０１８−８１７９７号公報
【発明の概要】
【発明が解決しようとする課題】
【０００４】
本発明は、取付構造等の各種の構造を容易に備えることができる車載用のバッテリケースを提供することを課題とする。
【課題を解決するための手段】
【０００５】
本発明に係る車載用のバッテリケースは、バッテリが収容されると共に、車体に取り付けるための車体取付部を有する鋳造製の複数のケース本体を備え、複数のケース本体が互いに接合されている。
【０００６】
この構成によれば、ケース本体が鋳造製であるため、車体に取り付けるための車体取付部を鋳造時に一体的に形成することができる。そして、複数のケース本体が互いに接合されているので、大型のバッテリケースが容易に得られる。ケース本体自体は、バッテリケース全体の大きさに比して小さいので、鋳造設備を小型化することができ、低コストで製造できる。
【０００７】
特に、ケース本体は、側壁部に、ケース本体同士を接合するための接合部を有し、複数のケース本体は、接合部において互いに接合されており、ケース本体は、接合部に、バッテリを冷却するための冷却通路の開口部を有し、隣り合うケース本体における冷却通路の開口部同士が対峙して、隣り合うケース本体における冷却通路同士が連通していることが好ましい。この構成によれば、ケース本体の冷却通路同士を容易に連通させることができる。
【０００８】
また、ケース本体は、平面視矩形状であって、ケース本体の側壁部は、互いに対向する第一壁部及び第二壁部と、第一壁部及び第二壁部と直交し、互いに対向する第三壁部及び第四壁部とを有し、第一壁部及び第二壁部のうち少なくとも一方に接合部が設けられ、第三壁部及び第四壁部に車体取付部が設けられていることが好ましい。この構成によれば、ケース本体同士を容易に接合することができ、バッテリケースを車体に容易に取り付けることができる。
【発明の効果】
【０００９】
以上のように、ケース本体を鋳造製とし、そのケース本体を複数接合する構成としているので、各種の構造を容易に備えることができ、大型化が容易で、必要なバッテリ容量にも容易に対応できる。
【図面の簡単な説明】
【００１０】
【図１】本発明の一実施形態におけるバッテリケースを平面側から見た斜視図。
【図２】同バッテリケースを底面側から見た斜視図。
【図３】同バッテリケースの平面図。
【図４】同バッテリケースの側面図。
【図５】同バッテリケースの側面図。
【図６】同バッテリケースの底面図。
【図７】図３のＡ−Ａ断面図。
【図８】図７の要部拡大図。
【図９】同バッテリケースにおいてアンダーカバーを取り付ける前の状態を示す、底面側から見た斜視図。
【図１０】同バッテリケースにおいてアンダーカバーを取り付ける前の状態を示す底面図。
【図１１】同バッテリケースにおいてアンダーカバーを取り付ける前の状態を示す図７に対応した断面図。
【図１２】図１１の要部拡大図。
【図１３】同バッテリケースにバッテリを収容した状態を示す、平面側から見た斜視図。
【図１４】同バッテリケースにバッテリを収容した状態を示す、平面側から見た斜視図。
【図１５】同バッテリケースに使用されているケース本体の接合前の状態を示す、平面側から見た斜視図。
【図１６】同バッテリケースに使用されている第一ケース本体を示す平面側から見た斜視図。
【図１７】図１６の要部拡大図。
【図１８】同第一ケース本体を示す平面側から見た斜視図。
【図１９】同バッテリケースに使用されている第二ケース本体を示す平面側から見た斜視図。
【図２０】同第二ケース本体を示す平面側から見た斜視図。
【図２１】同バッテリケースに使用されている第三ケース本体を示す平面側から見た斜視図。
【図２２】同第三ケース本体を示す平面側から見た斜視図。
【発明を実施するための形態】
【００１１】
以下、本発明の一実施形態にかかるバッテリケース１について図１〜図２２を参酌しつつ説明する。図１〜図８に、本実施形態にかかるバッテリケース１を示している。バッテリケース１は、図１３及び図１４に示すように、複数のバッテリ２を収容するためのものである。バッテリケース１の上面は開口しており、その上面の開口部からバッテリ２がバッテリケース１に入れられる。バッテリケース１は、複数のケース本体３、４，５と、複数のアンダーカバー６とを備えている。ケース本体３、４，５は鋳造製、具体的にはダイカスト製であり、アンダーカバー６は好ましくは金属板からなる。複数のケース本体３、４，５は、互いに接合されて一体化されている。アンダーカバー６は、各ケース本体３、４，５にそれぞれ一枚ずつ装着されている。ケース本体３、４，５の個数は任意である。本実施形態では、三つのケース本体３、４，５が接合一体化されている。従って、アンダーカバー６は合計三枚である。
【００１２】
＜ケース本体３、４，５＞
本実施形態において、バッテリケース１は、第一ケース本体３と、第二ケース本体４と、第三ケース本体５とを備えている。図１５に、第一ケース本体３と第二ケース本体４と第三ケース本体５の接合前の状態を示している。また、図１６〜図２２には、第一ケース本体３、第二ケース本体４、及び、第三ケース本体５をそれぞれ単体の状態で示している。第一ケース本体３、第二ケース本体４及び第三ケース本体５は、バッテリ２を収容するための収容空間を有している。第一ケース本体３、第二ケース本体４及び第三ケース本体５の各収容空間は、何れも同じであって、何れも同数のバッテリ２を収容できる。具体的には、第一ケース本体３、第二ケース本体４及び第三ケース本体５は、それぞれ四つのバッテリ収容部１０を有していて、各バッテリ収容部１０に一つずつバッテリ２を収容できる。従って、第一ケース本体３、第二ケース本体４及び第三ケース本体５は、それぞれ四つのバッテリ２を収容できる。尚、第一ケース本体３、第二ケース本体４、及び、第三ケース本体５を特に区別しない場合には、単にケース本体３、４，５と総称する。
【００１３】
＜第一ケース本体３＞
図１６〜図１８に第一ケース本体３を示している。第一ケース本体３は、平面視矩形状であって、具体的には、平面視長方形状である。但し、第一ケース本体３の形状は種々であってよい。第一ケース本体３は、トレー状である。第一ケース本体３は、長辺方向の寸法と短辺方向の寸法に対して高さ方向の寸法が小さい。第一ケース本体３は、長辺方向に非対称形状であり、短辺方向に対称形状である。第一ケース本体３は、平面視長方形状の底面部１１と、底面部１１の周縁から立ち上がった側壁部１２とを備えている。側壁部１２は、第一長壁部１３及び第二長壁部１４と、第一短壁部１５及び第二短壁部１６とを有している。第一長壁部１３と第二長壁部１４がそれぞれ第一壁部と第二壁部であり、第一短壁部１５と第二短壁部１６がそれぞれ第三壁部と第四壁部である。第一長壁部１３及び第二長壁部１４は長辺方向に沿って延びており、第一短壁部１５及び第二短壁部１６は短辺方向に沿って延びている。第一長壁部１３及び第二長壁部１４と第一短壁部１５及び第二短壁部１６は、互いに直交している。第一長壁部１３及び第二長壁部１４は、互いに短辺方向に対向し、第一短壁部１５及び第二短壁部１６は、互いに長辺方向に対向している。
【００１４】
底面部１１は、側壁部１２の下端部よりも若干上側に位置している。従って、側壁部１２は、図８のように、底面部１１から上方に突出した上方突出部１２ａと、底面部１１から下方に突出した下方突出部１２ｂとを有する。側壁部１２の上方突出部１２ａと底面部１１の上面によって形成される空間は、バッテリ２を収容するための収容空間である。側壁部１２の下方突出部１２ｂと底面部１１の下面によって形成される空間は、冷媒が流れる冷却空間である。
【００１５】
底面部１１の上面の長辺方向の中央部には、仕切り壁１７が上側に向けて突設されている。仕切り壁１７は、短辺方向に沿っている。仕切り壁１７は、一対の第一長壁部１３と第二長壁部１４を短辺方向に連結している。底面部１１の上面の短辺方向の中央部には、位置決め用の突条１８が上側に向けて突設されている。仕切り壁１７と突条１８とによって、底面部１１の上面は四つの領域に区画される。区画された四つの領域にそれぞれバッテリ２が載置される。仕切り壁１７と突条１８とにより、第一ケース本体３の収容空間は四つのバッテリ収容部１０に区画される。このように本実施形態では、第一ケース本体３に四つのバッテリ２を収容することができる。第二ケース本体４と第三ケース本体５も同様である。
【００１６】
底面部１１の長辺方向の両端部近傍には、それぞれバッテリ２を第一ケース本体３に取り付けるためのバッテリ取付部２０が設けられている。バッテリ取付部２０は、第一短壁部１５及び第二短壁部１６の近傍に位置している。バッテリ取付部２０は、底面部１１の長辺方向の両端部にそれぞれ一対ずつ設けられている。従って、第一ケース本体３は、合計四つのバッテリ取付部２０を有している。底面部１１の長辺方向の一方の端部における二つのバッテリ取付部２０は、短辺方向に並んでおり、他方の端部における二つのバッテリ取付部２０も同様に短辺方向に並んでいる。底面部１１の長辺方向の一方の端部における二つのバッテリ取付部２０と他方の端部における二つのバッテリ取付部２０は、それぞれ長辺方向に対向している。
【００１７】
バッテリ取付部２０の構成は任意である。本実施形態では、バッテリ２がバッテリ取付部２０に上側からネジ止めされる。詳細には、図１７のように、バッテリ取付部２０は、底面部１１の上面に台状に突設されたベース部２１と、ベース部２１の上面に突設された一対のネジボス部２２とを有している。ベース部２１は、第一短壁部１５及び第二短壁部１６の内面と一体に構成されている。一対のネジボス部２２は短辺方向に並んでいる。ネジボス部２２にネジ孔が形成されている。
【００１８】
図９〜図１２のように、底面部１１の下面に冷却溝２５が形成されている。冷却溝２５は下方に開口している。図７及び図８のように、第一ケース本体３に上述のアンダーカバー６を取り付けることにより、冷却溝２５の下方開口が塞がれる。冷却溝２５とアンダーカバー６とにより、冷却通路３２が形成される。冷却通路３２には、バッテリ２を冷却するための冷媒が流される。冷却溝２５の構成も任意であるが、一例としては、冷却溝２５は、長辺方向に沿って延びている。底面部１１の下面には、冷却溝２５を形成するための隔壁２６が下方に向けて突設されている。隔壁２６と側壁部１２の下方突出部１２ｂとの間に冷却溝２５が形成され、隣り合う隔壁２６同士の間にも冷却溝２５が形成される。隔壁２６は、長辺方向に延びている。冷却溝２５の始点と終点は何れも第一短壁部１５側に位置している。冷却溝２５は、第一短壁部１５側からスタートして長辺方向に沿って二往復し、第一短壁部１５側に戻る。また、底面部１１の下面には、リブ２７が下方に向けて突設されている。リブ２７は、長辺方向に沿って延びていて、隔壁２６と平行である。リブ２７は、隣り合う隔壁２６同士の間、及び、側壁部１２の下方突出部１２ｂと隔壁２６との間に、位置している。リブ２７の突出量は、隔壁２６の突出量よりも小さい。
【００１９】
底面部１１の下面には、冷却通路３２の開口部が形成されている。底面部１１の下面に形成された冷却通路３２の開口部を下冷却開口部２８と称する。下冷却開口部２８は一対設けられている。下冷却開口部２８は、冷却溝２５の始点近傍と終点近傍に設けられている。下冷却開口部２８は、第一長壁部１３及び第二長壁部１４の近傍に位置している。一対の下冷却開口部２８は、短辺方向に対称に配置されている。底面部１１の上面には、下冷却開口部２８に対応した位置に、膨出部２９が形成されている。膨出部２９は一対設けられている。膨出部２９は、底面部１１の上面から上方に膨出している。膨出部２９は、第一長壁部１３及び第二長壁部１４の内面と接続されている。膨出部２９の内部には、連通孔３０が形成されている。連通孔３０は冷却通路３２の一部を構成している。連通孔３０は、底面部１１の下面と第一長壁部１３及び第二長壁部１４の外面に、それぞれ開口している。底面部１１の下面に開口した連通孔３０の開口部が下冷却開口部２８である。第一長壁部１３及び第二長壁部１４の外面に開口した連通孔３０の開口部を横冷却開口部３１と称する。連通孔３０は、途中で折れ曲がっていて、上下方向に沿った縦孔部３０ａと、水平方向に沿った横孔部３０ｂとから構成される。一方の連通孔３０は冷媒の入口用であり、他方の連通孔３０は、冷媒の出口用である。
【００２０】
第一長壁部１３及び第二長壁部１４の水平方向の両端部は、それぞれ第一短壁部１５及び第二短壁部１６の外面よりも外側に突出している。即ち、第一長壁部１３及び第二長壁部１４の水平方向両端部は、それぞれ第一短壁部１５及び第二短壁部１６から外側に突出した袖壁部４０となっている。
【００２１】
第一長壁部１３の外面には、第一ケース本体３を第二ケース本体４に接合するための接合部としての接合面４１が設けられている。第二長壁部１４の外面には、第一ケース本体３を第三ケース本体５に接合するための接合部としての接合面４１が設けられている。第一長壁部１３の接合面４１は第一長壁部１３の外面の全体に形成されており、第二長壁部１４の接合面４１は第二長壁部１４の外面の全体に形成されている。第一長壁部１３の接合面４１と第二長壁部１４の接合面４１は何れも平面である。第一長壁部１３の外面と第二長壁部１４の外面には、何れも、リブ等の凸部は形成されていない。
【００２２】
第一短壁部１５及び第二短壁部１６の上端部には、上フランジ４２が外側に向けて突設されている。第一短壁部１５及び第二短壁部１６の下端部には、下フランジ４３が外側に向けて突設されている。上フランジ４２の突出量と下フランジ４３の突出量は例えば互いに略等しい。但し、上フランジ４２の突出量と下フランジ４３の突出量が互いに異なっていてもよい。上フランジ４２と下フランジ４３は、第一短壁部１５及び第二短壁部１６の全長に亘って形成されている。上フランジ４２と下フランジ４３は、第一長壁部１３及び第二長壁部１４の袖壁部４０に接続されている。上フランジ４２の突出量と下フランジ４３の突出量は、袖壁部４０の突出量と略等しい。上フランジ４２には、図示しないアッパーカバーをバッテリケース１にネジ止めするためのネジ孔４４が形成されている。第一長壁部１３及び第二長壁部１４には上フランジや下フランジが設けられていない。
【００２３】
第一短壁部１５及び第二短壁部１６の外面には、複数の縦リブ４５が形成されている。縦リブ４５は、上下方向に延びている。複数の縦リブ４５のうちの一部は、上フランジ４２と下フランジ４３に接続されている。第一短壁部１５及び第二短壁部１６の外面には、ブラケット４６が形成されている。ブラケット４６は、バッテリケース１を車体に取り付けるための車体取付部である。バッテリケース１はブラケット４６を介して車体に下側からネジ止めされる。ブラケット４６は、第一短壁部１５及び第二短壁部１６の外面から外側に突出している。ブラケット４６の突出量は、上フランジ４２の突出量、下フランジ４３の突出量、及び、袖壁部４０の突出量よりも大きい。ブラケット４６は、上フランジ４２や下フランジ４３、袖壁部４０よりも外側にはみ出している。バッテリケース１は、上フランジ４２や下フランジ４３、袖壁部４０よりも外側の位置において車体に取り付けられる。ブラケット４６は、短辺方向に間隔をおいて一対形成されている。複数の縦リブ４５のうち一部の縦リブ４５は、ブラケット４６と上フランジ４２に接続されている。
【００２４】
＜第二ケース本体４＞
第二ケース本体４と第三ケース本体５は、第一ケース本体３とは側壁部１２の構成のみが異なり、他は共通している。第一ケース本体３と共通している構成についてはその詳細な説明を省略する。図１９及び図２０に第二ケース本体４を示している。第二ケース本体４は、短辺方向に非対称形状である。具体的には、第二ケース本体４の第一長壁部１３の外面と第二長壁部１４の外面は、互いに異なっていて非対称である。第二ケース本体４の第一長壁部１３の外面には、上フランジ５０と複数の縦リブ５１が外側に向けて突設されている。第一長壁部１３の上フランジ５０は、第一短壁部１５及び第二短壁部１６の上フランジ４２と接続されている。第二ケース本体４は、側壁部１２の上端部の四片のうち一辺を除く三辺に上フランジ４２，５０が形成されている。第一長壁部１３の上フランジ５０にも上述したネジ孔４４が形成されている。第二ケース本体４の第一長壁部１３の外面には下フランジは形成されていない。第二ケース本体４の第二長壁部１４の外面には、第二ケース本体４を第一ケース本体３に接合するための接合部としての接合面４１が設けられている。第二ケース本体４の第二長壁部１４の接合面４１は、第一ケース本体３の第一長壁部１３の接合面４１及び第二長壁部１４の接合面４１と同様である。第二長壁部１４の外面には、リブ等の凸部は形成されていない。このように、第二ケース本体４は、第一ケース本体３と比べると、第一長壁部１３の外面の構成のみが異なる。
【００２５】
＜第三ケース本体５＞
図２１及び図２２に第二ケース本体４を示している。第三ケース本体５は、第二ケース本体４とは対称形状である。第三ケース本体５は、短辺方向に非対称形状である。第三ケース本体５の第一長壁部１３の外面と第二長壁部１４の外面は、互いに異なっていて非対称である。第三ケース本体５の第一長壁部１３の外面には、第三ケース本体５を第一ケース本体３に接合するための接合部としての接合面４１が設けられている。第三ケース本体５の第一長壁部１３の接合面４１は、第一ケース本体３の第一長壁部１３の接合面４１及び第二長壁部１３の接合面４１と同様である。第一長壁部１３の外面には、リブ等の凸部は形成されていない。第三ケース本体５の第二長壁部１４の外面には、上フランジ５０と複数の縦リブ５１が外側に向けて突設されている。第三ケース本体５の第二長壁部１４における上フランジ５０と縦リブ５１は、第二ケース本体４の第一長壁部１３における上フランジ５０と縦リブ５１と同様の構成である。第二長壁部１４の上フランジ５０にも上述したネジ孔４４が形成されている。このように、第三ケース本体５は、第一ケース本体３と比べると、第二長壁部１４の外面の構成のみが異なる。そして、第一ケース本体３と第二ケース本体４と第三ケース本体５は、第一長壁部１３の外面又は第二長壁部１４の外面の仕様が異なり、他の部分は共通している。
【００２６】
＜ケース本体３、４，５の製造＞
第一ケース本体３、第二ケース本体４及び第三ケース本体５は、何れも鋳造製であり、ダイカスト製である。第一ケース本体３、第二ケース本体４及び第三ケース本体５は、図示しない一つの共通したダイカスト金型によって製造することができる。一つの共通のダイカスト金型を使用し、この金型の一部を交換することによって、第一ケース本体３、第二ケース本体４及び第三ケース本体５という三種類の部品を製造することができる。ダイカスト金型における主型の型開き方向は例えば水平方向とされる。主型は、固定型と可動型とからなる。固定型と可動型は例えば水平方向に対向して配置される。尚、第一ケース本体３、第二ケース本体４及び第三ケース本体５を、それぞれ専用のダイカスト金型によって鋳造してもよい。即ち、三つの専用のダイカスト金型によって第一ケース本体３、第二ケース本体４及び第三ケース本体５を鋳造してもよい。
【００２７】
第一ケース本体３の鋳造について更に説明すると、第一ケース本体３の第一長壁部１３の外面形状、第二長壁部１４の外面形状、第一短壁部１５の外面形状、及び、第二短壁部１６の外面形状は、それぞれ上下方向に往復移動、あるいは、水平方向であって主型の型開き方向とは直交する方向に往復移動する、合計四つのスライドコアによって形成される。例えば、第一長壁部１３の外面を第一スライドコアで形成し、第二長壁部１４の外面を第二スライドコアで形成し、第一短壁部１５の外面を第三スライドコアで形成し、第二短壁部１６の外面を第四スライドコアで形成する。そして、第一スライドコアを第二ケース本体４用のものに変更することにより、同じダイカスト装置によって第二ケース本体４を鋳造できる。同様に、第二スライドコアを第三ケース本体５用のものに変更することにより、同じダイカスト装置によって第三ケース本体５を鋳造できる。このように、主型を変更することなく、スライドコアの一部を変更することによって三種類のケース本体３、４，５を鋳造できる。従って、低コストで鋳造できる。ケース本体３、４，５が二種類や四種類以上であっても同様である。
【００２８】
＜アンダーカバー６＞
三つのアンダーカバー６は、互いに同じ形状である。従って、アンダーカバー６は一種類でよい。アンダーカバー６は薄い板状である。アンダーカバー６は、各ケース本体３、４，５に下側から装着される。アンダーカバー６は、ケース本体３、４，５に溶接される。図７のようにアンダーカバー６は隔壁２６の下端面に当接する。アンダーカバー６とリブ２７との間には隙間が存在している。アンダーカバー６は、ケース本体３、４，５同士が接合される前に各ケース本体３、４，５に溶接されるか、あるいは、ケース本体３、４，５同士が接合された後に各ケース本体３、４，５に溶接される。
【００２９】
＜接合＞
第一ケース本体３の第一長壁部１３と第二ケース本体４の第二長壁部１４が溶接により接合される。第一ケース本体３の第一長壁部１３の外面と第二ケース本体４の第二長壁部１４の外面には何れも平面状の接合面４１が設けられているため、第一ケース本体３の第一長壁部１３と第二ケース本体４の第二長壁部１４を確実に接合させることができる。また、第一ケース本体３の第一長壁部１３の外面と第二ケース本体４の第二長壁部１４の外面を密着させることができる。溶接箇所は上下二箇所である。即ち、第一ケース本体３の第一長壁部１３の上端部及び下端部と、第二ケース本体４の第二長壁部１４の上端部及び下端部である。第一ケース本体３の第一長壁部１３の上端部と第二ケース本体４の第二長壁部１４の上端部が水平方向に沿って全長に亘って溶接される。第一ケース本体３の第一長壁部１３の下端部と第二ケース本体４の第二長壁部１４の下端部が水平方向に沿って全長に亘って溶接される。尚、第一ケース本体３の第一長壁部１３の両袖壁部４０と第二ケース本体４の第二長壁部１４の両袖壁部４０とを上下方向に沿って全長に亘って溶接してもよい。
【００３０】
第一ケース本体３と第二ケース本体４が接合されると、図８のように、第一ケース本体３の横冷却開口部３１と第二ケース本体４の横冷却開口部３１とが対峙する。第一ケース本体３の冷却通路３２と第二ケース本体４の冷却通路３２は、第一ケース本体３の横冷却開口部３１と第二ケース本体４の横冷却開口部３１を介して、互いに連通する。第一ケース本体３の第一長壁部１３の外面と第二ケース本体４の第二長壁部１４の外面とが密着しているので、冷媒の漏れが防止される。尚、第一ケース本体３の横冷却開口部３１と第二ケース本体４の横冷却開口部３１との間にシール部材を介在させてもよい。また、第一ケース本体３の連通孔３０、特には横孔部３０ｂや、第二ケース本体４の連通孔３０、特には横孔部３０ｂに、例えば接続パイプを装着してもよい。
【００３１】
第一ケース本体３と第三ケース本体５との接合についても同様である。第一ケース本体３の第二長壁部１４と第三ケース本体５の第一長壁部１３が溶接により接合される。第一ケース本体３の第二長壁部１４の外面と第三ケース本体５の第一長壁部１３の外面には平面状の接合面４１が設けられているため、第一ケース本体３の第二長壁部１４と第三ケース本体５の第一長壁部１３を確実に接合させることができる。また、第一ケース本体３の第二長壁部１４の外面と第三ケース本体５の第一長壁部１３の外面を密着させることができる。溶接箇所は上述と同様に上下二箇所である。即ち、第一ケース本体３の第二長壁部１４の上端部及び下端部と、第三ケース本体５の第一長壁部１３の上端部及び下端部である。第一ケース本体３の第二長壁部１４の上端部と第三ケース本体５の第一長壁部１３の上端部が水平方向に沿って全長に亘って溶接される。第一ケース本体３の第二長壁部１４の下端部と第三ケース本体５の第一長壁部１３の下端部が水平方向に沿って全長に亘って溶接される。尚、第一ケース本体３の第二長壁部１４の両袖壁部４０と第三ケース本体５の第一長壁部１３の両袖壁部４０とを上下方向に沿って全長に亘って溶接してもよい。
【００３２】
第一ケース本体３と第三ケース本体５が接合されると、第一ケース本体３と第二ケース本体４との接合と同様に、第一ケース本体３の横冷却開口部３１と第三ケース本体５の横冷却開口部３１とが対峙する。第一ケース本体３の冷却通路３２と第三ケース本体５の冷却通路３２は、第一ケース本体３の横冷却開口部３１と第三ケース本体５の横冷却開口部３１を介して、互いに連通する。第一ケース本体３の第二長壁部１４の外面と第三ケース本体５の第一長壁部１３の外面とが密着しているので、冷媒の漏れが防止される。尚、第一ケース本体３の横冷却開口部３１と第三ケース本体５の横冷却開口部３１との間にシール部材を介在させてもよい。また、第一ケース本体３の連通孔３０、特には横孔部３０ｂや、第三ケース本体５の連通孔３０、特には横孔部３０ｂに、例えば接続パイプを装着してもよい。
【００３３】
尚、本実施形態では、第一ケース本体３の第一長壁部１３の外面全体と第二ケース本体４の第二長壁部１４の外面全体と第三ケース本体５の第一長壁部１３の外面全体が接合面４１であったが、それらの外面に部分的に平面状の接合面４１を設けてもよい。例えば、第一ケース本体３の第一長壁部１３及び第二長壁部１４の外面の周縁部と第二ケース本体４の第二長壁部１４の外面の周縁部と第三ケース本体５の第一長壁部１３の外面の周縁部のみを平面状の接合面４１としたり、あるいは、周縁部に加えて、横冷却開口部３１の開口縁部を平面としてその開口縁部も周縁部と共に接合面４１としたりしてもよい。このように部分的に接合面４１を設けて、他の部分は凹部としてもよい。
【００３４】
＜バッテリ収容状態＞
以上のように第一ケース本体３と第二ケース本体４と第三ケース本体５は、短辺方向に一列に接合される。接合により形成されたバッテリケース１には、図１３のように複数のバッテリ２が収容される。第一ケース本体３、第二ケース本体４及び第三ケース本体５にはそれぞれバッテリ２が四つずつ収容される。従って、バッテリケース１には、合計１２個のバッテリ２を収容することができる。尚、図示しないが、バッテリ２は複数のセルが積層一体化されたものである。図１４のように、バッテリ押さえ６０によってバッテリ２を上側から押さえ付けて、バッテリ２を各ケース本体３、４，５に取り付けることができる。バッテリ押さえ６０は、例えば板金製である。バッテリ押さえ６０は、長辺方向に並んだ二つのバッテリ２をまとめてケース本体３、４，５に取り付けることができる。バッテリ押さえ６０は、各ケース本体３、４，５毎に二つずつ取り付けられる。バッテリ押さえ６０は、両端部にそれぞれネジ止め部６１を有している。ネジ止め部６１は、ケース本体３、４，５のバッテリ取付部２０の上方に対向して位置する。ネジ止め部６１の上側からボルト６２をバッテリ取付部２０のネジボス部２２のネジ孔に螺合させる。
【００３５】
以上のように構成されたバッテリケース１のケース本体３、４，５は、鋳造製である。そのため、ブラケット４６やバッテリ取付部２０、冷却溝２５等を鋳造時に一体的に形成することができる。三つのケース本体３、４，５が互いに接合されているので、大型のバッテリケース１が容易に得られ、バッテリ２の収容個数を容易に増加させることができる。ケース本体３、４，５は、バッテリケース１全体の大きさに比して小さいので、鋳造設備を小型化することができ、低コストに製造できる。
【００３６】
また、第一ケース本体３の第一長壁部１３と第二長壁部１４、第二ケース本体４の第二長壁部１４、第三ケース本体５の第一長壁部１３に、それぞれケース本体３、４，５同士を接合するための接合面４１が設けられているので、ケース本体３、４，５同士を容易に接合することができる。第一短壁部１５や第二短壁部１６ではなく第一長壁部１３や第二長壁部１４に接合面４１が設けられているので、接合強度を容易に高めることができる。また、第一短壁部１５と第二短壁部１６にブラケット４６が設けられているので、バッテリケース１を車体に容易に取り付けることができる。
【００３７】
接合状態において、第一ケース本体３の第一長壁部１３における横冷却開口部３１と第二ケース本体４の第二長壁部１４における横冷却開口部３１とが対峙して、第一ケース本体３の冷却通路３２と第二ケース本体４の冷却通路３２とが接合面４１を介して連通している。第一ケース本体３の第二長壁部１４における横冷却開口部３１と第三ケース本体５の第一長壁部１３における横冷却開口部３１とが対峙して、第一ケース本体３の冷却通路３２と第三ケース本体５の冷却通路３２とが接合面４１を介して連通している。つまり、第一ケース本体３の冷却通路３２と第二ケース本体４の冷却通路３２と第三ケース本体５の冷却通路３２が連通して一つの連続した冷却通路３２が形成されている。従って、例えば、第三ケース本体５の第二長壁部１４の横冷却開口部３１をバッテリケース１における冷媒の入口とし、第二ケース本体４の第一長壁部１３の横冷却開口部３１をバッテリケース１における冷媒の出口として、その入口と出口にそれぞれ図示しない冷媒用の配管を接続することができる。入口に接続される配管と、出口に接続される配管は、それぞれ一つで済む。
【００３８】
尚、本実施形態では、ケース本体３、４，５の長壁部１３，１４同士が接合されていたが、ケース本体３、４，５の短壁部１５，１６同士が接合されてもよい。また、ケース本体３、４，５が平面視長方形状であったが、ケース本体３、４，５が平面視正方形状等であってもよい。接合部の構成も種々変更可能である。接合方法についても任意であって、溶接に代えて他の接合構造を採用してもよいし、溶接と併用してもよい。
【符号の説明】
【００３９】
１    バッテリケース
２    バッテリ
３    第一ケース本体
４    第二ケース本体
５    第三ケース本体
６    アンダーカバー
１０    バッテリ収容部
１１    底面部
１２    側壁部
１２ａ  上方突出部
１２ｂ  下方突出部
１３    第一長壁部（第一壁部）
１４    第二長壁部（第二壁部）
１５    第一短壁部（第三壁部）
１６    第二短壁部（第四壁部）
１７    仕切り壁
１８    突条
２０    バッテリ取付部
２１    ベース部
２２    ネジボス部
２５    冷却溝
２６    隔壁
２７    リブ
２８    下冷却開口部
２９    膨出部
３０    連通孔
３０ａ  縦孔部
３０ｂ  横孔部
３１    横冷却開口部
３２    冷却通路
４０    袖壁部
４１    接合面（接合部）
４２    上フランジ
４３    下フランジ
４４    ネジ孔
４５    縦リブ
４６    ブラケット（車体取付部）
５０    上フランジ
５１    縦リブ
６０    バッテリ押さえ
６１    ネジ止め部
６２    ボルト
【図１】
2020191163.tif 000003
【図２】
2020191163.tif 000004
【図３】
2020191163.tif 000005
【図４】
2020191163.tif 000006
【図５】
2020191163.tif 000007
【図６】
2020191163.tif 000008
【図７】
2020191163.tif 000009
【図８】
2020191163.tif 000010
【図９】
2020191163.tif 000011
【図１０】
2020191163.tif 000012
【図１１】
2020191163.tif 000013
【図１２】
2020191163.tif 000014
【図１３】
2020191163.tif 000015
【図１４】
2020191163.tif 000016
【図１５】
2020191163.tif 000017
【図１６】
2020191163.tif 000018
【図１７】
2020191163.tif 000019
【図１８】
2020191163.tif 000020
【図１９】
2020191163.tif 000021
【図２０】
2020191163.tif 000022
【図２１】
2020191163.tif 000023
【図２２】
2020191163.tif 000024